【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
放射線を発する装置であって、
−  駆動時に第一の電荷を有する第一の電荷担体を放出する第一の電極（４）と、
−  前記の第一の電極上に配置されている蛍光を発する物質を含む第一の電荷担体輸送層（３）と、
−  前記の第一の電荷担体輸送層上に配置されている燐光を発する物質を含有する第二の電荷担体輸送層（２）と、
−  前記の第二の電荷担体輸送層上に配置されている駆動時に第二の電荷を有する第二の電荷担体を放出する第二の電極（１）と
を含み、
−  前記の第二の電荷担体輸送層（２）が、駆動時に、前記の第一の電極（４）から放出される第一の電荷担体を十分に含まないこと、及び
− 第二の電荷担体輸送層（２）が十分に単極性であり、かつ十分に第二の電荷担体のみを輸送できるか、あるいは第一の電荷担体を十分に遮断すること
を特徴とする放射線を発する装置。
【請求項２】
請求項１に記載の放射線を発する装置であって、第一の電荷担体輸送層（３）と第二の電荷担体輸送層（２）との間に、１つの単極性の電荷担体輸送層（５）が配置されており、該層は第一の電荷の電荷担体を遮断するか、あるいは第二の電荷の電荷担体のみを輸送できることを特徴とする放射線を発する装置。
【請求項３】
請求項１又は２に記載の放射線を発する装置であって、有機発光ダイオード（ＯＬＥＤ）として構成されており、第一の電荷担体輸送層（３）、第二の電荷担体輸送層（２）、燐光を発する物質又は蛍光を発する物質が有機材料を含むことを特徴とする放射線を発する装置。
【請求項４】
請求項１から３までのいずれか１項に記載の放射線を発する装置であって、第一の電荷の電荷担体と第二の電荷の電荷担体との再結合によって、励起子を一重項励起子と三重項励起子を含む励起された電子状態として形成できることを特徴とする放射線を発する装置。
【請求項５】
請求項４に記載の放射線を発する装置であって、十分に第一の電荷担体輸送層（２）でのみ、第一の電荷の電荷担体と第二の電荷の電荷担体との再結合が行われることを特徴とする放射線を発する装置。
【請求項６】
請求項４又は５に記載の放射線を発する装置であって、
−  第一の電荷担体輸送層中で形成された励起子が三重項励起子を含むことと、
−  燐光を発する物質が、第一の電荷担体輸送層中で形成された三重項励起子のエネルギーによる励起に際して燐光放射線を放出することと
を特徴とする放射線を発する装置。
【請求項７】
請求項１から６までのいずれか１項に記載の放射線を発する装置であって、
−  第一の電極（４）がカソードであることと、
−  第一の電荷担体輸送層（３）が、正孔を輸送しかつ電子を輸送する層であることと、
−  第二の電荷担体輸送層（２）が、正孔輸送層であることと、
−  第二の電極（１）がアノードであることと
を特徴とする放射線を発する装置。
【請求項８】
請求項７に記載の放射線を発する装置であって、第二の電荷担体輸送層（２）が、十分に電子を遮断するか、もしくは十分に正孔を輸送する層であることを特徴とする放射線を発する装置。
【請求項９】
請求項１から８までのいずれか１項に記載の放射線を発する装置であって、
−  第一の電極（４）がアノードであることと、
−  第一の電荷担体輸送層（３）が、正孔を輸送しかつ電子を輸送する層であることと、
−  第二の電荷担体輸送層（２）が、電子輸送層であることと、
−  第二の電極（１）がカソードであることと
を特徴とする放射線を発する装置。
【請求項１０】
請求項９に記載の放射線を発する装置であって、第二の電荷担体輸送層（２）が、十分に正孔を遮断するか、もしくは十分に電子を輸送する層であることを特徴とする放射線を発する装置。
【請求項１１】
請求項１から１０までのいずれか１項に記載の放射線を発する装置であって、第二の電荷担体輸送層（２）と第二の電極（１）との間に励起子を遮断する層（６）が存在することを特徴とする放射線を発する装置。
【請求項１２】
請求項１から１１までのいずれか１項に記載の放射線を発する装置であって、蛍光を発する物質が有機材料を含むことを特徴とする放射線を発する装置。
【請求項１３】
請求項１から１２までのいずれか１項に記載の放射線を発する装置であって、蛍光を発する物質が１つの電荷担体輸送マトリクス材料中にドーパントとして存在していることを特徴とする放射線を発する装置。
【請求項１４】
請求項１から１３までのいずれか１項に記載の放射線を発する装置であって、燐光を発する物質が有機材料を含むことを特徴とする放射線を発する装置。
【請求項１５】
請求項１から１４までのいずれか１項に記載の放射線を発する装置であって、燐光を発する物質が１つの電荷担体輸送マトリクス材料中にドーパントとして存在していることを特徴とする放射線を発する装置。
【請求項１６】
請求項１５に記載の放射線を発する装置であって、第二の電荷担体輸送層（２）中に、少なくとも２つの異なる燐光を発する物質がドーパントとして存在することを特徴とする放射線を発する装置。
【請求項１７】
請求項１６に記載の放射線を発する装置であって、それらの燐光を発する物質が異なる波長で発光することを特徴とする放射線を発する装置。
【請求項１８】
請求項１７に記載の放射線を発する装置であって、第二の電荷担体輸送層（２）が部分領域を有し、該部分領域はそれぞれ１つの別の波長で燐光を発する物質を含み、かつ燐光を発する物質の放出放射線の波長が、第一の電荷担体輸送層（３）との間隔が増すと増大することを特徴とする放射線を発する装置。
【請求項１９】
請求項１から１８までのいずれか１項に記載の放射線を発する装置であって、第二の電荷担体輸送層（２）のＨＯＭＯ／ＬＵＭＯ準位が、第一の電荷担体輸送層（３）のＨＯＭＯ／ＬＵＭＯ準位に、第一の電荷の電荷担体が第二の電荷担体輸送層（２）中に到達し得ないように適合されていることを特徴とする放射線を発する装置。
【請求項２０】
請求項１から１９までのいずれか１項に記載の放射線を発する装置であって、第二の電荷担体輸送層（２）のＨＯＭＯ／ＬＵＭＯ準位が、第一の電荷担体輸送層（３）のＨＯＭＯ／ＬＵＭＯ準位に、第一の電荷担体輸送層からの三重項励起子が第二の電荷担体輸送層（２）中に到達し得ないように適合されていることを特徴とする放射線を発する装置。
【請求項２１】
請求項１から２０までのいずれか１項に記載の放射線を発する装置であって、第二の電荷担体輸送層（２）の厚さが、三重項励起子の拡散距離に、該三重項励起子が第二の電荷担体輸送層（２）全体を通して拡散しうるように適合されていることを特徴とする放射線を発する装置。
【請求項２２】
請求項１から２１までのいずれか１項に記載の放射線を発する装置であって、少なくとも２つの第二の電荷担体輸送層（２）が存在し、かつ全ての第二の電荷担体輸送層の全厚さが、三重項励起子の拡散距離より小さいかもしくは同じ大きさであることを特徴とする放射線を発する装置。
【請求項２３】
請求項２２に記載の放射線を発する装置であって、各々の第二の電荷担体輸送層（２）が、別の波長で発光する１つの燐光を発する物質を含むことを特徴とする放射線を発する装置。
【請求項２４】
請求項２３に記載の放射線を発する装置であって、第二の電荷担体輸送層（２）が、放出放射線の波長が第一の電荷担体輸送層（３）との間隔の増加とともに増大するように配置されていることを特徴とする放射線を発する装置。
【請求項２５】
請求項１から２４までのいずれか１項に記載の放射線を発する装置であって、全ての第二の電荷担体輸送層（２）のＨＯＭＯ／ＬＵＭＯ準位が、第一の電荷担体輸送層（３）から励起子移動が全ての電荷担体輸送層（２）を通じて行われうるように互いに適合されていることを特徴とする放射線を発する装置。
【請求項２６】
請求項１から２５までのいずれか１項に記載の放射線を発する装置であって、第一の電荷担体と第二の電荷担体の輸送のための電荷担体輸送路が、駆動の間に該装置を通って走っており、かつ第一の電荷担体のための電荷担体輸送路（Ｌ１）が、第一の電極（４）と第一の電荷担体輸送層（３）とにより限られた該装置の領域に制限されており、かつ第二の電荷担体のための電荷担体輸送路（Ｌ２）が、少なくとも、第二の電荷担体輸送層（２）と第一の電荷担体輸送層（３）を通って走っていることを特徴とする放射線を発する装置。